(57)【要約】      （修正有）【課題】木板の木目を活かした立体感のある絵画を描くことができる絵画用木板を提供する。【解決手段】絵画１は木板２に絵や記号、文字などを記載したものである。木板２の原料となる無垢板の表面には春目と冬目によって木目模様があらわれる。木目を構成する春目は冬目に比べて柔らかく、これら春目と冬目は交互に並ぶ。このような無垢板の表面を浮造り仕上げすることによって、木目に沿った凹凸を形成することができる。浮造り仕上げにより凹凸が形成された無垢材の表目を、例えばウレタン系スプレー等の塗料によって下塗り処理をして木板２として用いる。木板２には、絵具を用いて絵や文字などを描く。木板２に絵などを描いた後、これを乾燥させ、例えばウレタン等の塗料によって上塗り処理を施す。【選択図】図１
0003211036.tif 000002
【実用新案登録請求の範囲】
【請求項１】
木板に描かれた絵画であって、
前記木板表面は、木目に沿って凹凸が形成されるとともに、前記木目の少なくとも一部が視認可能であり、
前記木板表面に、絵、記号、文字、またはこれらの組み合わせが描かれることを特徴とする絵画。
【請求項２】
前記木板は、木目の冬目に対し春目がへこむことにより凹凸が形成されることを特徴とする請求項１記載の絵画。
【考案の詳細な説明】
【技術分野】
【０００１】
この考案は、木板に描かれた絵画に関し、より詳細には、浮造り仕上げされた木板に描かれた絵画に関する。
【背景技術】
【０００２】
従来、木板に絵を描く際には、木板の表面を紙やすり等で研磨して平らにしていた。平らにすることによって、絵を描きやすくすることができる。また、木板の木目が見えないように表面を塗装してから絵を描く方法と、描いた絵の背景に木目が見えるように絵を描く方法とがある。木目が見えるようにした絵画においては、描いた絵の他に、木目の美しさも鑑賞の対象とすることができる。
【先行技術文献】
【特許文献】
【０００３】
【特許文献１】特開２０１４−０９３２２号公報
【考案の概要】
【考案が解決しようとする課題】
【０００４】
しかしながら、木目が見えるようにして絵を描いた場合であっても、木板の表面は平らに研磨されているから、木目は平坦であり、立体感のあるものとはならない。
【０００５】
この考案では、木板の木目を活かした立体感のある絵画を提供することを課題とする。
【課題を解決するための手段】
【０００６】
この考案は、木板に描かれた絵画であって、前記木板表面は、木目に沿って凹凸が形成されるとともに、前記木目の少なくとも一部が視認可能であり、前記木板表面に、絵、記号、文字、またはこれらの組み合わせが描かれることを特徴とする。
【０００７】
前記木板は、木目の冬目に対し春目がへこむことにより凹凸が形成されるものであってもよい。
【考案の効果】
【０００８】
この考案の絵画によれば、木目に沿って凹凸が形成された木板に絵や記号・文字等を描くことができるので、絵画全体において立体感のあるものとすることができる。
【図面の簡単な説明】
【０００９】
【図１】この考案の絵画の一実施形態を示す写真。
【考案を実施するための形態】
【００１０】
図１を参照すれば、絵画１は木板２に絵や記号、文字などを記載したものである。この実施形態においては木板２に魚の絵を描いている。木板２として例えば秋田杉などのスギの根杢を用いることができる。すなわち、伐採されたスギを板状に切断することによって木板２の原料となる無垢板を得ることができる。
【００１１】
無垢板の表面には春目と冬目によって木目模様があらわれる。木目を構成する春目は冬目に比べて柔らかく、これら春目と冬目は交互に並ぶ。このような無垢板の表面を浮造り仕上げすることによって、木目に沿った凹凸を形成することができる。すなわち、ワイヤブラシ等を用いて研磨することによって、木目の柔らかい春目が削られ、木目の硬い冬目が削られずにそのまま残り、冬目に対して春目がへこむ。このようにして春目と冬目とによって凹凸の木目模様を形成する。また、春目と冬目は色が異なるから木目模様はより鮮明に形成される。このように浮造り仕上げにより凹凸が形成された無垢材の表目を、例えばウレタン系スプレー等の塗料によって下塗り処理をして木板２として用いる。
【００１２】
木板２には、絵具を用いて絵や文字などを描く。絵具としては、岩絵具を用いるのが好ましい。ただし、水彩絵具、アクリル絵具、油絵具等、他の絵具を用いても構わない。絵や文字等を描く際には、凹凸の木目模様を考慮して描く。すなわち、例えば木目模様を水面の模様にみたてて魚の絵を描いたり、木の枝にみたてて鳥の絵を描いたりすることもできるし、幻想的な広がりを演出したりすることもできる。木板２に絵などを描いた後、これを乾燥させ、例えばウレタン等の塗料によって上塗り処理を施す。
【００１３】
上記のように凹凸の木目模様が形成された木板２に絵等を描くことにより、立体感のある絵画とすることができる。特に、背景となる木板２に凹凸が形成されているので、背景が立体的となるとともに、木目を活かした特徴的な絵画とすることができる。また、木目を立体的にすることにより、その美しさもより一層際立たせることができ、木目の鑑賞の対象とすることもできる。
【００１４】
下塗り処理および上塗り処理にはウレタン系の塗料を用いているが、これに限定されるものではない。しかし、木板２の木目が視認できるように光透過性の塗料を用いることが好ましい。この実施形態において、木板２に描かれるのは絵および文字であるが、その他、記号や図形を描くこともできるし、これらの組み合わせであっても良い。
【００１５】
木板２として秋田杉を用いているが、他の木材であっても構わない。なお、秋田杉は特に、春目と冬目の間隔が狭く、木目が美しいとされている。また、春目が柔らかくへこみやすいから、より立体的な凹凸を形成しやすい。木板２として根杢を用いているが、これに限定されるものではなく、木材の種々の部位を用いることができる。なお、根杢は、建築材料としては不向きであり、活用されずに放置されることが多いが、無垢板にした場合には、木目の模様が様々に湾曲して個性豊かな板材を得ることができる。このような木目を利用することによってひとつひとつ特徴のある絵画とすることができる。
【符号の説明】
【００１６】
１  絵画
２  木板
【図１】
0003211036.tif 000003
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
絵画を描くための絵画用木板であって、
木板表面は、木目に沿って凹凸が形成されるとともに、前記木目の少なくとも一部が視認可能であり、
前記木板表面に、絵、記号、文字、またはこれらの組み合わせが描かれることを特徴とする絵画用木板。
【請求項２】
前記木板表面には、木目の冬目に対し春目がへこむことにより凹凸が形成されることを特徴とする請求項１記載の絵画用木板。
【手続補正３】
【補正対象書類名】明細書
【補正対象項目名】０００１
【補正方法】変更
【補正の内容】
【０００１】
この考案は、例えば絵画を描くための絵画用木板に関し、より詳細には、浮造り仕上げされた絵画用木板に関する。
【手続補正４】
【補正対象書類名】明細書
【補正対象項目名】０００５
【補正方法】変更
【補正の内容】
【０００５】
この考案では、木板の木目を活かした立体感のある絵画用木板を提供することを課題とする。
【手続補正５】
【補正対象書類名】明細書
【補正対象項目名】０００６
【補正方法】変更
【補正の内容】
【０００６】
この考案は、絵画を描くための絵画用木板であって、木板表面は、木目に沿って凹凸が形成されるとともに、前記木目の少なくとも一部が視認可能であり、前記木板表面に、絵、記号、文字、またはこれらの組み合わせが描かれることを特徴とする。
【手続補正６】
【補正対象書類名】明細書
【補正対象項目名】０００７
【補正方法】変更
【補正の内容】
【０００７】
前記木板表面には、木目の冬目に対し春目がへこむことにより凹凸が形成されてもよい。
【手続補正７】
【補正対象書類名】明細書
【補正対象項目名】０００８
【補正方法】変更
【補正の内容】
【０００８】
この考案の絵画用木板によれば、木目に沿って凹凸が形成された木板に絵や記号・文字等を描くことができるので、絵画全体において立体感のあるものとすることができる。
【手続補正８】
【補正対象書類名】明細書
【補正対象項目名】０００９
【補正方法】変更
【補正の内容】
【０００９】
【図１】この考案の絵画用木板の一実施形態を示す写真。